(57)【要約】【課題】バーの上下動が簡便なハードルを供することを目的とする。【解決手段】バー３の下部に設けられ上下動しバーに出入可能な手持部１５と、手持部１５をバー３に対して押圧状態とするときインナーパイプ７とアウターパイプ９との相対的な位置の固定を解除し、手持部１５のバー３に対する押圧を解除するとき位置の固定をするように嵌合ピン２３を操作する操作機構を設ける。これによれば、バー３の下部に設けられた手持部１５がロック機構を担っているため、バー３の高さ調節のためにバー３を手に持って「バーの移動」の動作を行なうと必然的にバーのロックが解除されるため、「ロックの解除」と「バーの移動」とを１つの動作で行なうことができる。【選択図】図１
2008194376.tif 000002
【特許請求の範囲】
【請求項１】
バーと、該バーを支持する上部支柱と、該上部支柱を支持する下部支柱とを有し、該上部支柱が該下部支柱に対し相対的に上下動可能に設けられたハードルであって、
上記バーの下部に設けられ上下動し該バーに出入可能な手持部と、
上記上部支柱と上記下部支柱との相対的な位置を固定する係止部と、
上記手持部を上記バーに対して押圧状態とするとき上記上部支柱と上記下部支柱との相対的な位置の固定を解除し、上記手持部の上記バーに対する押圧を解除するとき上記位置の固定をするように上記係止部を操作する操作機構とからなることを特徴とするハードル。
【請求項２】
請求項１記載のハードルにおいて、上記操作機構は上記手持部の上下動を上記係止部の左右動に変換する操作機構であることを特徴とするハードル。
【請求項３】
請求項１又は請求項２記載のハードルにおいて、上記上部支柱が上記下部支柱内に摺動自在に設けられることを特徴とするハードル。
【発明の詳細な説明】
【技術分野】
【０００１】
本願発明は陸上競技のハードル競技に使用するハードルに関する。
【背景技術】
【０００２】
ハードルは種目により標準の高さが異なっており、例えば「男子１１０ｍ」では高さ１．０６７ｍ、「女子１００ｍ」では高さ０．８４０ｍとなっている。そのため各競技を行なう前に、種目に応じた高さにハードルを調節しなければならない。
【０００３】
従来のハードルの高さ調節は、ネジ式のロックやフットスイッチ式のロックを利用したものがあった。
【特許文献１】実公平６−２１５２０号公報
【特許文献２】実開平３−６３３９９号公報
【０００４】
ネジ式のロックを利用したハードルは、左右の支柱に設けられた上部支柱と下部支柱との相対的な位置を固定するネジ式のロック機構を同時に解除したうえでバーを所望の高さに調節し、その高さを維持した状態で支柱をロックするものである。
【０００５】
このネジ式のロックを利用したハードルは、高さ調節のために「ロックの解除」と「バーの移動」という２つの切り離された動作を行なう必要があるだけでなく、各動作の間に立ったり座ったりの動作が入るため、時間がかかるだけでなく作業そのものが苦痛であった。
【０００６】
そこで、フットスイッチ式のロックを利用したハードルが開発された。フットスイッチ式のハードルは、左右の支柱の下端部を連結する連結パイプに設けられたフットスイッチを足で押圧することによりロックを解除し、その状態のままバーを所望の高さに調節し、その高さを維持した状態でフットスイッチから足を離しロックするものである。
【０００７】
このフットスイッチ式のロックを利用したハードルは、ネジ式のロックを利用したハードルに比べ格段に操作性が高いが、依然として高さ調節のために「ロックの解除」と「バーの移動」という２つの切り離された動作を行なう必要があった。
【０００８】
また、フットスイッチ式のロックを利用したハードルを、ハードル運搬車に重ねて載置した状態で高さ調節をしようとした場合、一人では奥に載置されたハードルのフットスイッチを踏み難く、高さ調節が困難であった。
【発明の開示】
【発明が解決しようとする課題】
【０００９】
本願発明はバーの上下動が簡便なハードルを供することを目的とする。より詳しくは、「ロックの解除」と「バーの移動」とを１つの動作で行なえるハードルを供することを目的とする。
【課題を解決するための手段】
【００１０】
上記目的達成のため、本願発明によるハードルは、
バーと、該バーを支持する上部支柱と、該上部支柱を支持する下部支柱とを有し、該上部支柱が該下部支柱に対し相対的に上下動可能に設けられたハードルであって、
上記バーの下部に設けられ上下動し該バーに出入可能な手持部と、
上記上部支柱と上記下部支柱との相対的な位置を固定する係止部と、
上記手持部を上記バーに対して押圧状態とするとき上記上部支柱と上記下部支柱との相対的な位置の固定を解除し、上記手持部の上記バーに対する押圧を解除するとき上記位置の固定をするように上記係止部を操作する操作機構とからなることを特徴とする。
また、請求項１記載のハードルにおいて、上記操作機構は上記手持部の上下動を上記係止部の左右動に変換する操作機構であることを特徴とする。
また、請求項１又は請求項２記載のハードルにおいて、上記上部支柱が上記下部支柱内に摺動自在に設けられることを特徴とする。
【発明の効果】
【００１１】
このように、本願発明にかかるハードルによれば、バーの下部に設けられた手持部がロック機構を担っているため、バーの高さ調節のためにバーを手に持って「バーの移動」の動作を行なうと必然的にバーのロックが解除されるため、「ロックの解除」と「バーの移動」とを１つの動作で行なうことができる。
【００１２】
また、この手持部がバーの下部に設けられていることにより、バーの高さ調節の作業をハードルの上側のみ（バーの部分）の操作で行うことができるため、ハードルをハードル運搬車に重ねて載置した状態でも一人で簡便に高さ調節が可能となる。
【発明を実施するための最良の形態】
【００１３】
次に、実施の形態を示す図面に基づき本願発明によるハードルをさらに詳しく説明する。なお、便宜上同一の機能を奏する部分には同一の符号を付してその説明を省略する。
【００１４】
図１は本願発明にかかるハードルの実施の形態を示した一部断面正面図であり、図２は（Ａ）が図１の一部断面右側図、（Ｂ）が（Ａ）のＡ−Ａ断面図である。
【００１５】
本願発明によるハードル１は、バー３と、バー受け５，５を介して該バー３を支持する左右一対の支柱３５，３５と、該支柱３５が固着される一対のベース１１，１１とからなる。左右一対の支柱３５，３５は、その下端において連結パイプ１３で連結されている。
【００１６】
上記支柱３５，３５はベース１１，１１に固着された中空筒状のアウターパイプ９，９と該アウターパイプ９，９の内側に摺動自在に設けられバー受け５，５に固着された中空筒状のインナーパイプ７，７とからなる。
【００１７】
上記バー３の下部には２つの手持部１５，１５が設けられている。該手持部１５，１５は、バー３の内側において上下動可能に設けられたレバーガイド板１７に固定されており、該レバーガイド板１７と連動して上下動可能となっている。該手持部１５，１５の下端の一部はバー３の下側に突出しており、この部分を押し上げることでレバーガイド板１７が連動して押し上がる。該レバーガイド板１７の上部には、常に下向きの力が加わるようにバネ１６が設けられており、振動等によって該レバーガイド板１７が上下動してしまうことを防いでいる。
【００１８】
上記レバーガイド板１７の左右両端には軸１７ａが設けられており、該軸１７ａはレバー１９の上部に設けられた横長の長孔１９ａの外側端に遊着されている。該レバー１９はバー受け５に軸１９ｃを中心に回動可能に軸着されるとともに、上記バー受け５に設けられた軸５ａと若干弯曲した長孔１９ｄとが遊着され、下端はインナーパイプ７の内側に入り込み、同じくインナーパイプ７の内側に設けられた位置決めロッド２１の上端に軸１９ｂにて回動自在に軸着されている。該位置決めロッド２１はインナーパイプ７の内側に接した部位に支点２１ａを設け、下端が嵌合ピン２３になっている。該嵌合ピン２３は、インナーパイプ７に開けられた孔７ａから突出しアウターパイプ９に開けられた係止孔９ａに着脱可能に嵌合し、該インナーパイプ７と該アウターパイプ９との相対的な位置を固定する。上記アウターパイプ９の係止孔は、バー３の高さが競技に応じた高さになるように予め計測された位置に９ａ、９ｂ、９ｃ、９ｄ、９ｅと開けられている。
【００１９】
各ベース１１内には、バー３の高さ調整のための動作と連動するバランスウェイト３１が内蔵される。該バランスウェイト３１は、一端にスプリングポスト３４に固定されたスプリング３３が設けられ、他端に動滑車３０が設けられる。２５はワイヤであり、一端をバー受け５に固定され、他端はアウターパイプ９の下端に設けられた定滑車２７、エンドキャップ３２に設けられた定滑車２９及び上記動滑車３０を介しエンドキャップ３２に固定される。
【００２０】
上記バランスウェイト３１はスプリング３３によって常にハードル１の前方向（図２（Ｂ）の矢印方向）に引っ張られている。バー１が上方向に移動するとバー受け５に固定されたワイヤ２５が上方向に引っ張られバランスウェイト３１が後方向（図２（Ｂ）の反矢印方向）に移動する。逆にバー１が下方向に移動するとワイヤ２５がゆるみスプリング３３の張力により前方向に移動する。上記ワイヤ２５はバランスウェイト３１に設けられた動滑車３０に通されているため、バー１の移動距離の半分の距離がバランスウェイト３１の移動距離となる。
【００２１】
図３は本願発明にかかるハードルがロックされている状態を、図４はハードルのロックが解除されている状態を説明する斜視図である。この図３及び図４にしたがってバーの高さの調節方法を説明する。
【００２２】
手持部１５を上方向に押し上げると、該手持部１５に固定されたレバーガイド板１７が上方向に移動する。すると軸１７ａにレバー１９が引っ張られるため、該レバー１９は軸１９ｃを中心に軸１９ｂが内側に移動するように回動する。該軸１９ｂが内側に移動すると、位置決めロッド２１はインナーパイプ７の内側に接した支点２１ａを支点として嵌合ピン２３が外側に移動するように動作する。こうして、嵌合ピン２３がインナーパイプ７の孔７ａ及びアウターパイプ９の係止孔９ａから離脱しロックが解除される（図４参照）。
【００２３】
このロックが解除された状態のまま、バー１を所望の高さまで移動させ手持部１５を離せば、レバーガイド板１７、レバー１９及び位置決めロッド２１は元の位置に戻るから、嵌合ピン２３がインナーパイプ７の孔７ａから突出しアウターパイプ９の移動後の係止孔９ｂ乃至９ｅのいずれかに嵌合し再びロックされた状態となる。
【００２４】
以上のように、手持部１５を上方向に押し上げるという動作で「ロックの解除」が行われるため、そのまま一連の動きとして「バーの移動」の動作に移行でき簡便にバーの高さ調節が可能となる。
【００２５】
本願発明は上記した実施の形態に限定されない。例えば、手持部の数は２個に限定されない。
【００２６】
またバランスウェイトはどのような動作機構のものであっても構わない。
【産業上の利用可能性】
【００２７】
本願発明は陸上競技のハードル競技に活用される。
【図面の簡単な説明】
【００２８】
【図１】（Ａ）は本願発明にかかるハードルの実施の形態を示した一部断面正面図、（Ｂ）はＢ部拡大図である。
【図２】（Ａ）は図１の一部断面右側図、（Ｂ）は（Ａ）のＡ−Ａ断面図である。
【図３】本願発明にかかるハードルがロックされている状態を説明する斜視図である。
【図４】本願発明にかかるハードルのロックが解除されている状態を説明する斜視図である。
【符号の説明】
【００２９】
１      ハードル
３      バー
５      バー受け
５ａ    軸
７      インナーパイプ
７ａ    孔
９      アウターパイプ
９ａ    係止孔
９ｂ    係止孔
９ｃ    係止孔
９ｄ    係止孔
９ｅ    係止孔
１１    ベース
１３    連結パイプ
１５    手持部
１６    バネ
１７    レバーガイド板
１７ａ  軸
１９    レバー
１９ａ  長孔
１９ｂ  軸
１９ｃ  軸
１９ｄ  長孔
２１    位置決めロッド
２１ａ  支点
２３    嵌合ピン
２５    ワイヤ
２７    定滑車
２９    定滑車
３０    動滑車
３１    バランスウェイト
３２    エンドキャップ
３３    スプリング
３４    スプリングポスト
３５    支柱
【図１】
2008194376.tif 000003
【図２】
2008194376.tif 000004
【図３】
2008194376.tif 000005
【図４】
2008194376.tif 000006